(57)【特許請求の範囲】
【請求項１】
空調運転に関わる空調運転情報を生成する情報生成部と、前記情報生成部にて生成された前記空調運転情報を送信する送信部と、リモコンの送信部から送信される情報要求信号を受信する受信部とを有する室内機と、
前記室内機の空調運転を制御するとともに、前記室内機の前記送信部から送信される前記空調運転情報を受信する受信部と、前記室内機へ前記空調運転情報を要求する情報要求信号を送信する送信部と、前記送信部から前記室内機の前記受信部へ前記情報要求信号を送信させる情報要求ボタンと、前記受信部にて受信した前記空調運転情報を表示する表示部とを有するリモコンとを備え、
前記室内機の前記情報生成部は、所定時間ごとに空調運転情報を生成し、
前記リモコンの前記受信部は、断続的かつ自動的に受信可能状態となり、
前記情報要求ボタンが押下されるか、所定時間ごとのタイミングにて自動的に前記情報要求信号が前記リモコンの前記送信部から前記室内機の前記受信部へ送信されると、前記リモコンの前記受信部が受信可能状態になるとともに、前記室内機の前記送信部から前記リモコンの前記受信部へ前記空調運転情報が送信され、
前記情報生成部が生成する空調運転情報は、運転状態に応じて算出される省エネ性の指標であるエコ度、および、算出されたエコ度に応じてエコ度を向上させるためのメッセージである省エネアドバイスを含み、
前記情報生成部が前記空調運転情報を生成する前記所定時間は、前記リモコンが自動的に前記情報要求信号を前記室内機に向け発信する前記所定時間よりも短い、空気調和機。
【請求項２】
前記情報生成部は、室内設定温度、パワーセーブ設定および電流制限の指標をもとにエコ度を算出する請求項１に記載の空気調和機。
【請求項３】
前記情報生成部は、冷房運転時と暖房運転時とで、エコ度の指標を変更する請求項１または２に記載の空気調和機。
【請求項４】
前記所定のタイミングの起点は、前記室内機が運転を開始したときである、請求項１から３のいずれか１つに記載の空気調和機。
【請求項５】
前記リモコンは、前記所定のタイミングの起点をリセットするボタンを備える、請求項１から４のいずれか１つに記載の空気調和機。
【請求項６】
前記リモコンの前記受信部の１回あたりの受信可能状態となる期間は、前記室内機の前記送信部が送信処理を行う１回あたりの時間よりも長く設定される、請求項１から５のいずれか１つに記載の空気調和機。
【請求項７】
前記リモコン若しくは前記室内機は、受信若しくは送信した前記空調運転情報を所定時間経過後に消去する、請求項１から６のいずれか１つに記載の空気調和機。
【発明の詳細な説明】
【技術分野】
【０００１】
本発明は、室内の空調を行うための空気調和機に関するものである。
【背景技術】
【０００２】
従来、空気調和機の省エネルギー性（省エネ性）を向上させるために、空気調和機から使用者に対して、省エネ運転に関するアドバイスを行うものがある（例えば、特許文献１参照）。
【０００３】
特許文献１に記載の空気調和機は、リモコン（遠隔制御装置）を備えるとともに、リモコンには、室内機に情報送信要求を行う情報要求ボタンと、情報要求ボタンを押した場合に室内機から送信される情報信号（省エネ運転に関するもの）が表示される表示部とが設けられている。
【０００４】
このように構成される空気調和機において、使用者がリモコンの情報要求ボタンを押下することにより、リモコンから信号が送信され、その信号に応答して室内機がリモコンに情報信号を送信し、情報信号を受信したリモコンは表示部に情報信号を表示する。これにより、使用者は室内機からの情報信号を確認し、それに基づいて省エネ運転を実施するようにしている。
【先行技術文献】
【特許文献】
【０００５】
【特許文献１】特開２０１１−３３２８５号公報
【発明の概要】
【発明が解決しようとする課題】
【０００６】
しかしながら、前記従来の空気調和機では、室内機からの情報をリモコンが受信して表示するためには、使用者がその都度リモコンを操作して、情報要求信号を毎回、室内機へ送信する必要があった。このように、室内機からの情報を使用者が認識するにあたって、利便性の観点で未だ改善の余地があった。
【０００７】
本発明は、前記の従来の空気調和機における問題を解消して、より利便性を向上させた空気調和機の提供を目的とする。
【課題を解決するための手段】
【０００８】
前記目的を達成するために、本発明に係る空気調和機においては、空調運転に関わる空調運転情報を生成する情報生成部と、前記情報生成部にて生成された前記空調運転情報を送信する送信部とを有する室内機と、
前記室内機の空調運転を制御するとともに、前記室内機の前記送信部から送信される前記空調運転情報を受信する受信部と、前記受信部にて受信した前記空調運転情報を表示する表示部とを有するリモコンとを備え、
前記リモコンの前記受信部は、断続的かつ自動的に受信可能状態となる。
【発明の効果】
【０００９】
本発明によれば、前記構成を有することにより、使用者の利便性を向上させることができる。
【図面の簡単な説明】
【００１０】
【図１】本発明に係る実施形態の空気調和機の概略構成を示す模式図
【図２】実施形態の空気調和機におけるリモコンの正面図
【図３】実施形態の空気調和機における室内機およびリモコンの内部構成を示す模式図
【図４】実施形態の空気調和機における空調運転情報の送受信に関するフローチャート
【図５】実施形態の空気調和機における空調運転情報の送受信に関するタイミングチャート
【図６】実施形態の空気調和機におけるエコ度の算出方法の一例を示す図
【図７】実施形態の空気調和機におけるエコ度および省エネアドバイスの表示例を示す図
【図８】実施形態の変形例にかかる空気調和機における空調運転情報の送受信に関するタイミングチャート
【発明を実施するための形態】
【００１１】
本発明に係る第１の態様の空気調和機は、空調運転に関わる空調運転情報を生成する情報生成部と、前記情報生成部にて生成された前記空調運転情報を送信する送信部とを有する室内機と、
前記室内機の空調運転を制御するとともに、前記室内機の前記送信部から送信される前記空調運転情報を受信する受信部と、前記受信部にて受信した前記空調運転情報を表示する表示部とを有するリモコンとを備え、
前記リモコンの前記受信部は、断続的かつ自動的に受信可能状態となる。
このように構成された本発明に係る第１の態様の空気調和機は、使用者がリモコンを操作することなく、リモコンへ空調運転に関わる空調運転情報が送信されるため、利便性を向上させることができる。また、リモコンの受信部を断続的に受信可能状態とすることにより、常に受信可能状態とする場合に比べて、リモコンの電力消費を抑制することができる。
【００１２】
本発明に係る第２の態様の空気調和機において、前記の第１の態様における前記リモコンの前記受信部は、所定のタイミングにて受信可能状態となるようにしても良い。
【００１３】
本発明に係る第３の態様の空気調和機において、前記の第２の態様における前記リモコンは、前記室内機へ前記空調運転情報を要求する情報要求信号を送信する送信部をさらに備え、
前記室内機は、前記リモコンの前記送信部から送信される前記情報要求信号を受信する受信部をさらに備え、
前記リモコンの前記送信部から前記室内機の前記受信部へ、所定のタイミングにて前記情報要求信号が送信されると、前記リモコンの前記受信部が受信可能状態になるとともに、前記室内機の前記送信部から前記リモコンの前記受信部へ前記空調運転情報が送信される。
このように構成された本発明に係る第３の態様の空気調和機は、リモコンの受信部が受信可能であることを確保した上で、室内機からリモコンへ空調運転情報を送信することにより、精度良く空調運転情報の送受信を行うことができる。また、リモコンの受信部が受信可能状態となる期間を、室内機から空調運転情報が送信される時を含むように設定することで、精度良く空調運転情報の送受信を行うとともにリモコンの電力消費を抑制することができる。
【００１４】
本発明に係る第４の態様の空気調和機において、前記の第３の態様における前記リモコンは、前記リモコンの前記送信部から前記室内機の前記受信部へ前記情報要求信号を送信させる情報要求ボタンを備える。
このように構成された本発明に係る第４の態様の空気調和機は、所定のタイミング以外にも使用者の要求に応じてリモコンに空調運転情報を表示させて認識することができるため、利便性をさらに向上させることができる。
【００１５】
本発明に係る第５の態様の空気調和機において、前記の第２の態様における前記室内機の前記送信部が前記リモコンの前記受信部へ前記空調運転情報を送信するタイミングと、前記リモコンの前記受信部が受信可能状態となるタイミングとが同期されている。
このように構成された本発明に係る第５の態様の空気調和機は、同期をとることで、リモコンから室内機へ情報要求信号を送信せずに自動的に空調運転情報を見ることができる。
【００１６】
本発明に係る第６の態様の空気調和機において、前記の第５の態様における前記室内機および前記リモコンは、前記室内機の運転開始時に同期する。
このように構成された本発明に係る第５の態様の空気調和機は、精度良く同期をとることができる。
【００１７】
本発明に係る第７の態様の空気調和機において、前記の第２から第６のいずれか１つの態様における前記所定のタイミングの起点は、前記室内機が運転を開始したときであっても良い。
【００１８】
本発明に係る第８の態様の空気調和機において、前記の第２から第７のいずれか１つの態様における前記リモコンは、前記所定のタイミングの起点をリセットするボタンを備えても良い。
【００１９】
本発明に係る第９の態様の空気調和機において、前記の第１から第８のいずれか１つの態様における前記リモコンの前記受信部の１回あたりの受信可能状態となる期間は、前記室内機の前記送信部が送信処理を行う１回あたりの時間よりも長く設定される。
このように構成された本発明に係る第９の態様の空気調和機は、リモコンおよび室内機の間にて空調運転情報の送受信を精度良く行うことができる。
【００２０】
本発明に係る第１０の態様の空気調和機において、前記の第１から第９のいずれか１つの態様における前記リモコン若しくは前記室内機は、受信若しくは送信した前記空調運転情報を所定時間経過後に消去する。
このように構成された本発明に係る第１０の態様の空気調和機は、メモリ量を低減し、空気調和機の信頼性を向上させることができる。
【００２１】
以下、本発明の空気調和機に係る実施形態について、添付の図面を参照しながら説明する。なお、以下の実施形態の空気調和機においては、具体的な構成について説明するが、本発明は、以下の実施形態の具体的な構成に限定されるものではなく、同様の技術的思想に基づく構成が適用された各種空気調和機を含むものである。
【００２２】
図１は、本発明の空気調和機１の概略構成を示す。図１に示すように、空気調和機１は、室内機２とリモコン３と室外機４とを備える。室内機２は室外機４と冷媒配管５によって接続され、冷凍サイクルを構成する。リモコン３は室内機２と双方向通信を行う。使用者がリモコン３を操作することにより、室内機２の運転を制御する。また、室内機２は、室内の照度を検出する照度センサ６を備える。さらに、室内機２およびリモコン３は、それぞれ第１のタイマーおよび第２のタイマー（図示せず）を備えることにより、時計機能を有している。
【００２３】
図２（ａ）、（ｂ）は、空気調和機１のリモコン３の外観図を示す。図２（ａ）は、カバー２０を開けて縦置きにした場合のリモコン３を示し、図２（ｂ）は、カバー２０を閉じて横置きにした場合のリモコン３を示す。
【００２４】
図２（ａ）、（ｂ）に示すように、リモコン３は、複数のボタンで構成される操作部７と、表示部８と、報知部９とを備える。操作部７は、使用者が室内機２の運転のＯＮ／ＯＦＦを制御したり、室内設定温度や風向の設定を制御するための部分であり、カバー２０によって覆われるように内側に配置される操作部７ａと、カバー２０上に配置される操作部７ｂとで構成される。表示部８は、空気調和機１の空調運転に関わる情報（空調運転情報）などを表示する部分である。本実施形態では、表示部８として液晶画面が用いられているが、これに限らない。報知部９は、空調運転情報がリモコン３に存在することを報知するための部分である。本実施形態では、報知部９として、点灯することにより報知するＬＥＤが用いられているがこれに限らない。表示部８も液晶を点灯したり、バックライトを点灯するなどして報知部となり得る。なお、本実施形態では、空調運転情報としてエコ度および省エネアドバイスが用いられているが、これらの具体的な内容については後述する。図２（ａ）、（ｂ）では、表示部８に表示される画面の一例として、「設定温度は２５℃です」とのメッセージが表示された画面を示す。
【００２５】
図２（ｂ）に示すカバー２０上に配置された操作部７ｂのうち、運転入／切ボタン１０は、使用者が室内機２の運転のＯＮ／ＯＦＦを切り替えるためのボタンである。また、「お知らせボタン１２」は、使用者が空調運転情報を要求するためのボタンである。
【００２６】
図２（ａ）に示す内側に配置される操作部７ａのうち、決定ボタン１１は、表示部８に表示された選択肢を決定するためのボタンである。また、選択ボタン２１は、表示部８に表示される選択肢を上下および左右方向にスクロールするためのボタンである。
【００２７】
このように構成されるリモコン３において、表示部８に表示される空気調和機１の空調運転情報は、室内機２とリモコン３とが双方向通信を行うことにより、室内機２からリモコン３へ送信される。その通信方法について、図３、４を用いて説明する。
【００２８】
図３は、室内機２およびリモコン３の概略構成を示すブロック図である。図３に示されるように、室内機２は、受信部１３と、情報生成部１４と、送信部１５と、メモリ２２とを備える。リモコン３は、前述した操作部７、表示部８、報知部９に加えて、送信部１６と、受信部１７と、メモリ２３とを備える。
【００２９】
リモコン３の送信部１６は、室内機２の受信部１３へ信号を送信するよう構成される。室内機２の情報生成部１４は、空調運転情報を生成するよう構成される。情報生成部１４による具体的な空調運転情報の生成については後述する。室内機２のメモリ２２は、情報生成部１４にて生成された空調運転情報を保存するよう構成される。室内機２の送信部１５は、室内機２のメモリ２２に保存された空調運転情報を、リモコン３の受信部１７へ送信するよう構成される。リモコン３のメモリ２３は、リモコン３の受信部１７が受信した空調運転情報を保存するよう構成される。リモコン３のメモリ２３に保存された空調運転情報は、リモコン３の表示部８にて表示される。
【００３０】
上述した受信部１３、情報生成部１４、送信部１５、メモリ２２は室内機２の制御部内に存在し、操作部７、表示部８、報知部９、送信部１６、受信部１７、メモリ２３はリモコン３の制御部内に存在している。
【００３１】
このように構成される室内機２およびリモコン３における、信号および空調運転情報の送受信のフローチャートを図４に示す。図４に示すように、まず、使用者がリモコン３を操作することにより、室内機２の運転を開始する（ステップＳ１）。具体的には、室内機２の電源がＯＦＦのときに、図２（ｂ）に示す運転入／切ボタン１０を使用者が押下することにより、リモコン３が室内機２と通信を行い、室内機２および室外機４の空調運転が開始される（室内機２の電源がＯＮになる）。
【００３２】
ここで、室内機２の電源がＯＮになってから、室内機２の情報生成部１４は、所定時間ごと（例えば５分ごと）に、その時点での空調運転情報を生成する。生成された空調運転情報は随時メモリ２２に上書き保存され、メモリ２２には最新の空調運転情報が保存されている。
【００３３】
次に、リモコン３の送信部１６が室内機２の受信部１３へ信号を送信する（ステップＳ２）。具体的には、室内機２の運転開始から所定時間が経過したとき（本実施形態では３０分後）に、リモコン３の送信部１６が室内機２の受信部１３へ情報要求信号を送信する。
【００３４】
ここで、リモコン３の送信部１６による信号の送信と同時に、リモコン３の受信部１７は受信可能状態に切り替えられる。本実施形態では、リモコン３の受信部１７における受信可能状態の期間を１秒間に設定している。
【００３５】
次に、室内機２のメモリ２２に保存された空調運転情報を、室内機２の送信部１５がリモコン３の受信部１７へ送信する（ステップＳ３）。具体的には、室内機２の送信部１５の送信機能が動作されることにより、メモリ２２に保存された空調運転情報の送信処理が行われる。本実施形態では、室内機２の送信部１５が送信処理に要する１回あたりの時間を０．５秒間に設定している。前述のように、ステップＳ２においてリモコン３の受信部１７は受信可能状態に切り替えられているため、リモコン３の受信部１７は、室内機２の送信部１５から送信される空調運転情報を受信することができる。なお、リモコン３の受信部１７が受信した空調運転情報は、随時、リモコン３のメモリ２３に上書き保存される。
【００３６】
次に、リモコン３の受信部１７が空調運転情報を受信したことについて、リモコン３の報知部９が使用者に報知する（ステップＳ４）。具体的には、室内機２の送信部１５からの空調運転情報をリモコン３の受信部１７が受信すると、図２（ａ）、（ｂ）に示すリモコン３の報知部９が点灯することにより、リモコン３における空調運転情報の存在が報知され、使用者はそれを認識することができる。このとき、リモコン３の表示部８には、使用者に対して空調運転情報の開封を要求するメッセージが表示される。
【００３７】
次に、リモコン３のメモリ２３に保存された空調運転情報を、リモコン３の表示部８が表示する（ステップＳ５）。具体的には、報知部９により空調運転情報の存在を認識し、表示部８にて開封要求のメッセージを確認した使用者が、図２（ａ）に示すリモコン３の決定ボタン１１を押下することにより、リモコン３の表示部８に空調運転情報が表示される。
【００３８】
なお、室内機２およびリモコン３において、送受信した空調運転情報は所定時間経過後に消去される（例えば、２分後）。
【００３９】
以上、ステップＳ１−Ｓ５が実施されることにより、使用者はリモコン３の表示部８にて空調運転情報を認識することができる。
【００４０】
本実施形態では、空調運転情報がエコ度および省エネアドバイスであるため、これらの空調運転情報に基づいて使用者が空調運転を制御することにより、省エネ運転を実施することができ、空気調和機１の省エネ性を向上させることができる。
【００４１】
また、本実施形態にかかる空気調和機１によれば、リモコン３から自動的に発信される情報要求信号を受けた室内機２が、室内機２の送信部１５から、空調運転情報をリモコン３の受信部１７へ送信し、リモコン３は、その空調運転情報を受信したことを使用者に報知する。すなわち、使用者がリモコン３を操作することなく、リモコン３へ空調運転情報が送信されるため、使用者の利便性を向上させることができる。
【００４２】
また、本実施形態にかかる空気調和機１では、報知部９は点灯することにより報知するため、使用者が、より適切なタイミングで空調運転情報を認識することができる。使用者が空調運転情報を認識することで、より適切な省エネ運転を促して、省エネ性を向上させることができる。
【００４３】
また、本実施形態にかかる空気調和機１によれば、室内機２およびリモコン３は、送受信した空調運転情報を所定時間経過後に消去するため、室内機２およびリモコン３におけるメモリ量が低減され、空気調和機１の信頼性を向上させることができる。
【００４４】
上述のように、ステップＳ１−Ｓ５が実施されると、室内機２からリモコン３へ、空調運転情報が１回送信される。その後、ステップＳ１−Ｓ５を１サイクルとして、予め定められた所定のタイミングにて、このサイクルが繰り返し実施される。これにより、空調運転情報が断続的にリモコン３へ送信される。
【００４５】
図５を用いて、リモコン３の送信部１６が室内機２の受信部１３へ信号を送信するタイミングおよびリモコン３の受信部１７が受信可能状態となるタイミング（所定のタイミング）について説明する。図５は、時間の経過とともに、室内機２およびリモコン３が信号および空調運転情報を送受信するタイミングチャートを示す。
【００４６】
本実施形態における所定のタイミングは、図５に示すように、室内機２が空調運転を開始したときを起点として３０分間隔に設定される。具体的には、室内機２の空調運転開始から３０分間隔で、リモコン３の受信部１７が受信可能状態になり、同時に、リモコン３の送信部１６が室内機２の受信部１３に対して信号を送信する。
【００４７】
このように所定のタイミングを設定することで、室内機２の空調運転開始から３０分ごとに、室内機２からリモコン３へ自動的に空調運転情報が送信される。なお、本実施形態では、室内機２が備える第１のタイマーおよびリモコン３が備える第２のタイマーのそれぞれの時計機能により、所定のタイミングを管理している。
【００４８】
上述のように、本実施形態にかかる空気調和機１では、リモコン３の受信部１７は、断続的かつ自動的に受信可能状態となっている。一般的に、起動時から所定の時間毎にリモコン３から室内機２へ信号を送信するためにリモコン３の送信機能を継続的に働かせておくことにはそれほど電池を消耗しないのに対して、リモコン３の受信機能を働かせると電池消耗が激しい。したがって、本実施形態にかかる空気調和機１のように、リモコン３の受信部１７を断続的に受信可能状態とすることにより、リモコン３の受信部１７を常に待機させて受信可能状態とする場合に比べて、リモコン３の電力消費を大幅に抑制することができる。
【００４９】
また、本実施形態にかかる空気調和機１では、リモコン３の送信部１６から室内機２の受信部１３へ信号が送信されると、リモコン３の受信部１７が受信可能状態になるとともに、室内機２の送信部１５からリモコン３の受信部１７へ空調運転情報が送信される。このように、リモコン３の受信部１７の受信可能状態を確保した上で、室内機２からリモコン３へ空調運転情報を送信することにより、室内機２およびリモコン３の間にて、精度良く空調運転情報の送受信を行うことができ、空気調和機１の信頼性を向上させることができる。また、リモコン３の受信部１７が受信可能状態となる期間を、室内機２の送信部１５から空調運転情報が送信されるときを含むように設定することで、精度良く空調運転情報の送受信を行うとともにリモコン３の電力消費をさらに抑制することができる。
【００５０】
また、本実施形態にかかる空気調和機１では、リモコン３の受信部１７の１回あたりの受信可能状態となる期間を、室内機２の送信部１５が送信処理を行う１回あたりの時間よりも長く設定している（１秒間＞０．５秒）。これにより、室内機２およびリモコン３の間で精度良く空調運転情報の送受信を行うことができる。
【００５１】
なお、本実施形態では、リモコン３は、リモコン３の送信部１６から室内機２の受信部１３へ情報要求信号を送信させる情報要求ボタンである「お知らせボタン１２」を備え、使用者がリモコン３の「お知らせボタン１２」を押下すると、所定のタイミングに関わらず、図４に示すステップＳ２−Ｓ５が実施され、室内機２からリモコン３へ空調運転情報が１回送信される。これにより、所定のタイミング以外にも、使用者は任意のタイミングで空調運転情報を認識することができる。したがって、利便性をさらに向上させることができる。
【００５２】
次に、室内機２の情報生成部１４による空調運転情報の生成方法について具体的に説明する。
【００５３】
本実施形態における情報生成部１４は、空調運転情報として、エコ度および省エネアドバイスを生成する。エコ度とは、空気調和機１の運転状態に応じて算出される省エネ性の指標であり、省エネアドバイスとは、算出されたエコ度に応じてエコ度を向上させるためのメッセージである。
【００５４】
まず、エコ度の算出方法について、図６（ａ）、（ｂ）を用いて説明する。図６（ａ）に示すように、情報生成部１４は、室内設定温度、パワーセーブ設定および電流制限の３つの指標をもとにエコ度を算出する。パワーセーブ設定とは、空気調和機１が有する省エネ運転モードの１つであり、空調運転時における室外機４の電流値の上限を下げることにより（例えば、１５Ａを１０Ａに）、通常の空調運転時と比較して電力の消費量を低く抑えた空調運転を実施するものである。ここで、空気調和機１の省エネ運転モードとは、省エネに貢献するとともにエコ度が向上する運転設定のことであり、パワーセーブ設定に限らない。また、電流制限に引っ掛かる場合とは、冷暖房時の空調負荷が高く、リモコン設定の要求能力が高い場合などに、室外機の圧縮機の使用電力が増大し、室外機の電流値の上限値に引っ掛かることである。
【００５５】
図６（ｂ）に示すように、室内設定温度に関しては、１６℃から３０℃の室内設定温度に応じて０点〜６０点の点数が定められている。この点数については、空気調和機１が冷房運転あるいは暖房運転を行っているかによってテーブルが分かれている。冷房運転時には、室内設定温度が高いほど高い点数が与えられ、暖房運転時には、室内設定温度が低いほど高い点数が与えられる。
【００５６】
また、図６（ａ）に示すように、パワーセーブを設定していた場合には、前述した室内設定温度に応じた点数に対して２０点が加算される。一方で、パワーセーブが設定されていなかった場合には点数は加算されない。
【００５７】
また、図６（ａ）に示すように、電流制限に引っ掛からない場合には、前述した室内設定温度に応じた点数とパワーセーブの設定の有無に応じて加算される点数の合計に対して、さらに２０点が加算される。一方で、電流制限に引っ掛かる場合には点数は加算されない。
【００５８】
上述したように、本実施形態にかかる空気調和機１によれば、室内機２の情報生成部１４は、３つの指標（室内設定温度、パワーセーブ設定および電流制限）を用いて最大１００点の点数によりエコ度を算出している。
【００５９】
図７（ａ）は、リモコン３の表示部８におけるエコ度の算出例を示す。図７（ａ）では、冷房運転時において、室内設定温度が２７度であるとともに（４５点）、パワーセーブ設定が設定済みであり（２０点加算）、電流制限に引っ掛からない場合（２０点加算）の点数を表示している（８５点）。
【００６０】
次に、情報生成部１４による省エネアドバイスの具体的な生成方法について説明する。
【００６１】
まず、空気調和機１は、省エネ運転モード（例えば、パワーセーブ設定）が設定されているかどうかを判断する。
【００６２】
省エネ運転モードが設定されていない場合には、設定されていない省エネ運転モードの設定を促す内容を省エネアドバイスとして生成する。図７（ｂ）は、表示部８における、パワーセーブ設定がされていない場合の省エネアドバイスの表示例である。
【００６３】
省エネ運転モードが全て設定されている場合には、予め記憶された一般的な省エネアドバイスを生成する。一般的な省エネアドバイスには、省エネ運転モード以外の省エネにつながる運転を促すものや、空気調和機１の空調運転設定以外の省エネ行動を促すものなどがある。図７（ｃ）は、省エネ運転モード以外の省エネにつながる運転を促す場合の表示例として、室内設定温度の変更を促すメッセージを示し、図７（ｄ）は、空気調和機１の空調運転設定以外の省エネ行動を促すものの表示例として、窓の開閉を推定するメッセージを示す。
【００６４】
また本実施形態では、室内機２の情報生成部１４は、例えば室内機２における照度センサ６が検出した室内の照度と、時計機能により把握される時刻とに応じて、カーテンの開閉を促す省エネアドバイスを生成することができる。図７（ｅ）は、表示部８における、カーテンの開閉を推定する省エネアドバイスの表示例である。
【００６５】
上述したように、本実施形態にかかる空気調和機１によれば、室内機２の情報生成部１４によってエコ度および省エネアドバイスが生成されるとともに、その後リモコン３に送信され、使用者はその内容を確認することができる。これにより、リモコン３に表示されたエコ度および省エネアドバイスに基づいて、より省エネにつながるように空気調和機１の空調運転を制御することができ、空気調和機１の省エネ性を向上させることができる。
【００６６】
また、本実施形態にかかる空気調和機１は、エコ度が向上する省エネ運転モードを有し、省エネアドバイスの内容は、省エネ運転モードの設定を促すものである。これにより、空気調和機１の省エネ性をさらに向上させることができる。
【００６７】
また、本実施形態にかかる空気調和機１では、省エネ運転モードが全て設定済みであった場合には、一般的な省エネ方法を省エネアドバイスとして生成し、一般的な省エネ方法には、省エネ運転モード意外の省エネにつながる運転を促すものや、空気調和機１の空調運転設定以外の省エネ行動を促すものがある。これにより、空気調和機１の省エネ性をさらに向上させることができる。
【００６８】
なお、本発明は上記実施形態に限定されるものではなく、その他種々の態様で実施できる。例えば、本実施形態では、リモコン３の送信部１６から室内機２の受信部１３へ信号を送信する場合について説明したが、これに限らず例えば、第１および第２のタイマーを用いて室内機２およびリモコン３を同期させることで、図８に示すように、リモコン３から室内機２への信号を省略しつつ、室内機２からリモコン３へ空調運転情報を送信することもできる。
【００６９】
図８では、室内機２の運転開始時に、室内機２およびリモコン３の間にて同期をとっている。このように予め同期することで、リモコン３から室内機２への信号を省略しつつも、リモコン３の受信部１７を常に受信可能状態とすることなく、室内機２からリモコン３へ空調運転情報が送信される。これにより、リモコン３から室内機２へ信号を送信する場合と同様に、リモコン３の電力消費を抑制することができる。また、室内機２の運転開始時に同期することで、精度良く同期することができる。
【００７０】
また、本実施形態では、リモコン３の送信部１６が信号を送信すると同時にリモコン３の受信部１７が受信可能状態となる場合について説明したが、このように同時のタイミングに限らず、室内機２およびリモコン３の間で空調運転情報の送受信が成立するタイミングであれば、多少前後する場合であっても良い。
【００７１】
また、本実施形態では、室内設定温度、パワーセーブ設定および電流制限の３つの指標をもとにエコ度を算出する場合について説明したが、これに限らず例えば、室内機２から吹き出す風の強弱設定などを指標として用いても良い。
【００７２】
また、本実施形態では、所定タイミングを３０分間隔に設定したが、これに限らず例えば、１時間間隔や、３０分と１時間とを組合せた間隔などに設定しても良い。
【００７３】
また、本実施形態では、所定タイミングの起点が室内機２の運転開始時である場合について説明したが、これに限らず例えば、使用者がリモコン３を操作して室内機２へ風向の変更などの指示信号を送信したときを起点としても良い。また、リモコン３が所定のタイミングの起点をリセットするボタンを備えることにより、使用者が所定タイミングの起点をリセットできるようにしても良い。
【００７４】
また、本実施形態では、報知部９が点灯することにより報知する場合について説明したが、これに限らない。例えば、リモコン３が振動したり、音声を発することにより報知するようにしても良い。
【００７５】
また、本実施形態では、リモコン３の受信部１７における受信可能状態の期間を１秒間、室内機２の送信部１５における送信機能が動作する期間を０．５秒間に設定しているが、これに限らず、他の時間を設定しても良い。
【産業上の利用可能性】
【００７６】
本発明の空気調和機は、一般家庭等で使用される空気調和機として有用である。
【符号の説明】
【００７７】
１  空気調和機
２  室内機
３  リモコン
４  室外機
５  冷媒配管
６  照度センサ
７  操作部
８  表示部
９  報知部
１０  運転入／切ボタン
１１  決定ボタン
１２  お知らせボタン
１３  受信部
１４  情報生成部
１５  送信部
１６  送信部
１７  受信部
２０  カバー
２１  選択ボタン
２２  メモリ
２３  メモリ
【要約】
【課題】  より利便性を向上させた気調和機を提供すること。
【解決手段】  空気調和機は、空調運転に関わる空調運転情報を生成する情報生成部と、情報生成部にて生成された空調運転情報を送信する送信部とを有する室内機と、室内機の空調運転を制御するとともに、室内機の送信部から送信される空調運転情報を受信する受信部と、受信部にて受信した空調運転情報を表示する表示部とを有するリモコンとを備え、リモコンの受信部は、断続的かつ自動的に受信可能状態となる。
【選択図】図５【図１】
0005461677.tif 000002
【図２】
0005461677.tif 000003
【図３】
0005461677.tif 000004
【図４】
0005461677.tif 000005
【図５】
0005461677.tif 000006
【図６】
0005461677.tif 000007
【図７】
0005461677.tif 000008
【図８】
0005461677.tif 000009